(57)【要約】【課題】  収納部屋の内部が高温にならないし、収納部屋の内部に有害化学物質が溜まらない安価で、狭い小屋裏でも設置し易い小屋裏収納装置を提供することである。【解決手段】  住宅の小屋裏１に収納部屋４を設ける。この収納部屋４の床面２に収納部屋直下の部屋に通じる給気口５と、小屋裏直下の部屋に通じる排気口６を設ける。この排気口６には排気ファン６１を設ける。【選択図】          図１
2005350966.tif 000002
【特許請求の範囲】
【請求項１】
住宅の小屋裏に収納部屋が設けられ、この収納部屋の床面には、収納部屋直下の部屋に通じる給気口が設けられ、収納部屋の床面、壁面、天井面のいずれかには、排気ファンを備えた排気口が設けられていることを特徴とする小屋裏収納装置。
【請求項２】
前記排気口には、小屋裏直下の部屋または屋外へ開口しているダクトが取り付けられていることを特徴とする請求項１記載の小屋裏収納装置。
【請求項３】
前記収納部屋の床面、壁面、天井面のいずれかの少なくとも一部は、有害化学物質を吸着する建材で構成されていることを特徴とする請求項１または２記載の小屋裏収納装置。
【発明の詳細な説明】
【技術分野】
【０００１】
本発明は、住宅の小屋裏収納装置に関する。
【背景技術】
【０００２】
従来、多くの住宅には、小屋裏収納装置が設けられている。
この小屋裏収納装置は、居住する部屋の天井と屋根との間の小屋裏に収納部屋を設けたものであって、風通しが悪く、収納部屋の内部に屋根から伝わる熱や、建材や塗料等から発生する有害化学物質が溜まり易い。従って、夏期には、屋根から伝わってくる熱によって、収納部屋の内部が高温になり、収納している物質を変質させるという問題があるし、収納部屋の内部に有害化学物質が高濃度に溜まると、小屋裏収納装置に収納している収納物を出入する際に、不快臭を感じたり、健康を害する原因になる。
【０００３】
かかる有害化学物質としては、建材の合板等の接着剤として主に使用されている不快臭を有するホルムアルデヒドやアセトアルデヒド等や、住宅の内装用塗料等に含まれるトルエン、キシレン、エチルベンゼン、スチレン、酢酸ブチル等の溶剤等がある。
これを解決するための方法としては、特許文献１に記載されている小屋裏収納装置や特許文献２に記載されている収納装置が知られている。
【０００４】
即ち、特許文献１に記載されている小屋裏収納装置は、住宅の小屋裏空間に収納部屋（特許文献１には小屋裏収納部と記載されている）を設け、この収納部屋に換気口を設け、この収納部屋の換気口に収納部屋と床下空間とを結ぶ送風機を備えた通路を設けていて、この送風機によって床下空気を収納部屋の中を入れ、収納部屋の内部の空気を換気口から屋外に排出することによって、収納部屋の内部が高温にならないようにするものである。
【０００５】
特許文献２に記載されている収納装置は、収納部屋を構成する扉、側板、上板、背板、下板、棚板等の収納部屋の上面、側面、下面等の面を通気自在な構造にし、この収納部屋の面の背後に吸着剤を収納し、収納部屋の内部に溜まる有害化学物質を吸着剤に吸着させて、収納部屋に存在する有害化学物質を少なくするものである。
【０００６】
【特許文献１】特開平１１−１３２５３６号公報
【特許文献２】特開平１１−２４４０７９号公報
【発明の開示】
【発明が解決しようとする課題】
【０００７】
しかしながら、この特許文献１に記載されている小屋裏収納装置は、冷たい床下の空気で小屋裏収納部屋を換気するので、高温になることを防ぐ手段としては、極めて有効であるが、床下の空気で換気を行うためには、住宅の床下から１階、２階を貫き、小屋裏の収納部屋に通じる長い通路を設ける必要がある。従って、この通路を設ける設備費が高価になるという問題がある。
【０００８】
また、特許文献２に記載されている収納装置は、吸着剤で有害化学物質を吸着させるから、収納部屋の中の有害化学物質が少なくなり、有効であるが、そのために、収納部屋の隣に吸着剤を収納する部屋を設ける必要がある。しかし，この小屋裏は天井と屋根との間にあって、狭い空間である場合が多く、この狭い空間の中に吸着剤を収納する部屋を設けると、それだけ収納部屋が小さくなる。従って、この狭い空間の小屋裏に収納部屋を設ける小屋裏収納装置としては、特許文献２に記載されている収納装置は不適である。
【０００９】
そこで、本発明の目的は、収納部屋の内部が高温にならないし、収納部屋の内部に有害化学物質が溜まらない安価で、狭い小屋裏でも設置し易い小屋裏収納装置を提供することである。
【課題を解決するための手段】
【００１０】
本発明は上記目的を達成するためになされたものであって、請求項１に記載の発明は、住宅の小屋裏に収納部屋が設けられ、この収納部屋の床面には、収納部屋直下の部屋に通じる給気口が設けられ、収納部屋の床面、壁面、天井面のいずれかには、排気ファンを備えた排気口が設けられているものである。
【００１１】
請求項１に記載されている発明における部屋とは、住宅の内部を壁等で区切った場所をいい、収納部屋とは収納物を収納するための部屋であり、収納部屋直下の部屋とは、収納部屋の下側に隣接する居住するための和室や洋室等の部屋は勿論のこと、廊下や台所や洗面所等のように住宅の中を区切った場所のすべてを含むものである。
また、請求項１に記載されている発明における床面は、収納部屋直下の部屋の天井であってもよいし、収納部屋直下の部屋の天井とは別に設けた面材であってもよい。
【００１２】
そして、この床面には収納部屋直下の部屋に通じる給気口が設けられている。かかる給気口としては、床面が収納部屋直下の天井である場合には、この天井を貫通する通孔を設けたものであるし、床面が収納部屋直下の天井とは別に設けた面材である場合には、この面材と収納部屋直下の天井とを貫通する通孔を設けたものや、この面材に通孔を設け、この通孔から離れた位置に収納部屋直下の天井に通孔を設け、この両方の通孔をダクトで連結したもの等がある。
また、この通気口には、格子状等の桟を有する蓋を設けてもよい。
【００１３】
また、収納部屋の床面に収納部屋に収納物を出入させる開閉自在な扉を有する収納入口を設ける場合には、この開閉自在な扉に通孔を設け、この通孔を通気口としてもよいし、この開閉自在な扉の周囲に給気可能な隙間を設け、この隙間を給気口にしてもよい。
請求項１に記載されている発明においては、収納部屋の床面、壁面、天井面のいずれかに排気ファンを備えた排気口が設けられている。
【００１４】
これは、収納部屋の床面、壁面、天井面のいずれかに排気口を設けると共に、この排気口から収納部屋の内部の空気を排気するための排気ファンを設けることを意味していて、排気口の中に排気ファンを設けてもよいし、排気口に通じる場所に排気ファンが設け、この排気ファンによって排気口から空気を排出させるようにしてもよい。
【００１５】
例えば、収納部屋の床面、壁面、天井面のいずれかに通孔を設け、この通孔の中に排気ファンを取り付けて、この排気ファンで、一旦、収納部屋の空気を小屋裏や小屋裏直下の部屋に排出し、この排出された空気を小屋裏や小屋裏直下の空気と共に、小屋裏や小屋裏直下の壁等の設けられている隙間や換気口から外気に排出するようにしてもよいし、請求項２記載の発明のように、床面、壁面、天井面のいずれかに設けた排気口に、屋外または小屋裏直下の部屋に開口しているダクトを取り付け、ダクトの先端部や、中央部や、根元部に排気ファンに設け、この排気ファンでダクトを経て外気や小屋裏直下の部屋等に排気するようにしてもよい。
【００１６】
更に、収納部屋の壁面が外壁に当接している場合には、この壁面と外壁とを貫通する通孔を設けたり、外壁を壁面とし、この外壁に通孔を設け、これ等の通孔に直接、換気扇のような排気ファンを取り付けるとよい。
そして、この排気口と給気口の位置は給気口から給気された空気によって収納部屋が効率よく換気されるようにすることが好ましい。このようにするには、排気口を給気口より離れた場所（例えば、収納部屋の床面の長辺の長さの０．５倍以上離れた場所）に設けることが好ましい。具体的には、給気口は低い位置にあるので、この給気口より離れた反対側の天井面や壁面の上部がよく、床面に設ける場合には給気口より離れた反対側がよい。
【００１７】
この際、床面に設ける場合や壁面の低い位置に設けると、収納物によって邪魔されて換気が十分に行われない場合があるので、床面に設けたり壁面の低い位置に設けることは好ましくない。かかる理由によって、天井面に設けたり、収納部屋の天井高さの０．７倍以上の高い位置の壁面に設けることが好ましい。
かかる給気口と排気口の代表的な配置の小屋裏収納装置を図２に示す。
【００１８】
即ち、図２（イ）に示す小屋裏収納装置は、収納部屋１００の床面１０１は収納部屋直下の部屋の天井であり、この収納部屋１０１の床面に開閉自在な収納出入口の扉１０２を設け、この扉１０２に通孔を設けて給気口１０３とし、また、収納部屋の壁面１０４は切妻外壁であり、この壁面１０４の上部に通孔を設けて排気口１０６とし、この排気口１０６に換気扇である排気ファン１０７を取り付けたものである。
【００１９】
また、図２（ロ）に示す小屋裏収納装置は、の収納部屋１１０の床面を、図２（イ）と略同じにし、天井面１１８に通孔を設け、この通孔を排気口１１６とし、切妻壁に開口部１１５を設け、この排気口１１６と開口部１１５とをダクト１１９で連結し、ダクト１１９の先端部（開口部１１５の中）に換気ファン１１７を取り付けたものである。
また、図２（ハ）に示す小屋裏収納装置は、収納部屋１２０の床面と、排気口１２６を、図２（ロ）と略同じにし、小屋裏直下の部屋の天井に通孔１２５を設け、この通孔１２５と換気口１２６とをダクト１２９で連結し、換気口１２６に排気ファン２１７を設けたものである。
【００２０】
また、図２（ニ）に示す小屋裏収納装置は、図２（ハ）と略同じであるが、収納出入口の扉１３２が給気口１３３の近くに設けていることが異なるものである。
また、請求項１に記載されている発明における排気口に設けられている排気ファンの能力は適宜でよいが、収納部屋内部の換気回数が１．０回／時以上が望ましい。
【００２１】
請求項２に記載の発明は、請求項１記載の発明に係り、前記排気口には、小屋裏直下の部屋または屋外に開口しているダクトが取り付けられているものである。
【００２２】
この請求項２記載の発明における小屋裏直下の部屋とは、小屋裏の下側に隣接する部屋のことであって、収納部屋の下側に隣接する部屋であってもよいし、収納部屋以外の小屋裏の下側に隣接する部屋であってもよい。
そして、この請求項２記載の発明のダクトは、小屋裏直下の部屋または屋外に開口しているが、これは、ダクトが小屋裏直下の部屋に開口していてもよいし、屋外に開口していてもよいし、両方でもよい。両方に開口している場合には、ダクトの途中に弁を設け、この弁を移動させて、小屋裏直下の部屋と屋外のどちらか一方に開口するようにしてもよい。
【００２３】
後者の弁で小屋裏直下の部屋と屋外のどちらか一方を開口させるダクトの場合には、収納部屋が高温になったり、収納部屋の内部の有害化学物質が高濃度のときに、収納部屋の空気を直接外気に排出し、その他のときに、収納部屋の空気を小屋裏直下の部屋に排出するようにすることができる。このようにすると、高濃度の有害化学物質が小屋裏より下の部屋に入らないし、住宅内を空調しているとき等に空調された空気が直接外気に排出される量が少なくなり、空調のためのエネルギーの損失を少なくすることができ、好ましいが、かかるダクトは複雑になるという問題がある。
この請求項２に記載の発明におけるダクトは、適宜でよいが、施工性を考慮すると蛇腹状の筒のように自由に折り曲げることができるものが好ましい。
【００２４】
請求項３記載の発明は、請求項１または２記載の発明に係り、前記収納部屋の床面、壁面、天井面のいずれかの少なくとも一部は、有害化学物質を吸着する建材で構成されているものである。
【００２５】
この請求項３記載の発明では、収納部屋の床面、壁面、天井面のいずれかの少なくとも一部は有害化学物質を吸着する建材で構成されているが、これは、床面の一部または全部を有害化学物質を吸着する建材で構成してもよいし、壁面の一部または全部を有害化学物質を吸着する建材で構成してもよいし、床面の一部または全部を有害化学物質を吸着する建材で構成してもよいし、これ等の床面、壁面、天井面の２箇所以上を有害化学物質を吸着する建材で構成してもよいことを意味している。
【００２６】
ここで、有害化学物質を吸着する建材とは、有害化学物質を吸着する性能を有する石膏、木炭・活性炭等の炭、シリカゲル、珪素土、珪藻土焼成粉末、ゼオライト、セピオライト、アタバルジャイト、モントリロナイト、ゾノトライト、活性白土等の有害化学物質を吸着する性質を有する粉末を板状にした建材や、上記粉末を塗料の中に混ぜて、この塗料を表面に塗布した建材や、上記有害化学物質を付着させたシートや壁紙を張り付けた建材等をいう。
【００２７】
特に、有害化学物質を吸着する性能を有する石膏を板状にした石膏ボードは安価であるし、外観がよいので好ましい。
この際の有害化学物質としては、特にホルムアルデヒドが有害の程度が大きいので、このホルムアルデヒドの吸着能力の大きいものが好ましい。
（作用）
【００２８】
請求項１に記載の発明では、住宅の小屋裏に収納部屋が設けられ、この収納部屋の床面には、収納部屋直下の部屋に通じる給気口が設けられ、収納部屋の床面、壁面、天井面のいずれかには、排気ファンを備えた排気口が設けられているので、排気ファンを稼働させると、収納部屋の空気が収納部屋の床面、壁面、天井面のいずれかに設けられている排気口から排気され、収納部屋の気圧が下がり、自動的に、収納部屋直下の部屋から給気口を通って収納部屋に給気される。
このようにして、収納部屋が換気されるので、収納部屋の内部に有害化学物質が溜まることがないし、収納部屋が夏期に高温にならない。
【００２９】
請求項２記載の発明では、請求項１記載の発明に係り、前記排気口には、小屋裏直下の部屋または屋外に開口しているダクトが取り付けられている。
【００３０】
そして、ダクトが小屋裏直下の部屋に開口している場合には、収納部屋の空気はダクトを通って小屋裏直下の部屋に排気され、収納部屋直下の部屋から給気されるというように、収納部屋の空気が住宅の中を循環するので、収納部屋の中に有害化学物質が溜まることがないし、夏期に収納部屋が高温にならない。なお、この有害化学物質等は住宅の内部の空気と共に住宅の台所や便所や風呂場等に設けられている換気口から外気に排出される。
【００３１】
このように、ダクトが小屋裏直下の部屋に開口していると、収納部屋の中の空気が住宅の中を循環するので、住宅の中を空調しているとき等では、空調している空気が循環し、空調のためのエネルギーの損失が少なくなる。従って、このように建物の中を空調しているとき等に好適である。
また、ダクトが屋外に開口している場合には、収納部屋の空気はダクトを通って屋外に排気され、収納部屋直下の部屋から給気されるというように、収納部屋の空気が直接外気に放出され、収納部屋の中に有害化学物質が溜まることがないし、夏期に収納部屋が高温にならない。
【００３２】
このように、ダクトが屋外に開口していると、収納部屋の空気が小屋裏の下側の部屋に入らないので、収納部屋が高温になったり、収納部屋の内部の有害化学物質の濃度が高いとき等に好適である。
【００３３】
請求項３記載の発明では、請求項１または２記載の発明に係り、前記収納部屋の床面、壁面、天井面のいずれか少なくとも一部は、有害化学物質を吸着する建材で構成されているので、収納部屋に溜まった有害化学物質は床面、壁面、天井面のいずれかの少なくとも一部に構成されている建材に吸着され、収納部屋の有害化学物質が更に減少する。
このように、建材が有害化学物質を吸着するので、特許文献２に記載されている有害化学物質を吸着する吸着剤を設ける部屋を必要としない。従って、狭い小屋裏に収納部屋を設ける小屋裏収納装置に好適である。
【発明の効果】
【００３４】
以上説明したように、請求項１に記載の発明は、住宅の小屋裏に収納部屋が設けられ、この収納部屋の床面には、収納部屋直下の部屋に通じる給気口が設けられ、収納部屋の床面、壁面、天井面のいずれかには、排気ファンを備えた排気口が設けられているから、排気ファンを稼働させると、収納部屋が、自動的に、換気され、収納部屋の中に有害化学物質が溜まらないし、夏期に収納部屋が高温にならない。
【００３５】
請求項２記載の発明は、請求項１記載の発明に係り、前記排気口には、小屋裏直下の部屋または屋外に開口しているダクトが取り付けられているから、収納部屋の空気がダクトを通って小屋裏直下の部屋や屋外に排気され、収納部屋直下の部屋から給気されるというように換気され、収納部屋の内部に有害物質が溜まらないし、夏期に収納部屋が高温にならない。
【００３６】
なお、ダクトが小屋裏直下の部屋に開口している場合には、住宅の中を空調しているとき等では空調している空気が循環し、空調のためのエネルギーの損失が少なくなり、建物の中を空調しているときに好適であるし、ダクトが屋外に開口している場合には、収納部屋の空気はダクトを通って直接屋外に排気され、小屋裏の下方の部屋に入らなず、収納部屋が高温になったり、収納部屋の内部に有害物質の濃度が高いときに好適である。
【００３７】
請求項３記載の発明は、請求項１または２記載の発明に係り、前記収納部屋の床面、壁面、天井面のいずれかは、有害化学物質を吸着する建材で構成されているから、収納部屋に溜まった有害化学物質は床面、壁面、天井面のいずれかの少ないとも一部に構成されている建材に吸着され、収納部屋の有害化学物質が更に減少する。
【００３８】
このように、建材が有害化学物質を吸着するので、特許文献２に記載されている有害化学物質を吸着する吸着剤を設ける部屋を必要とせず、従って、狭い小屋裏に収納部屋を設ける小屋裏収納装置として好適である。
【発明を実施するための最良の形態】
【００３９】
以下、本発明を実施するための最良の形態を実施例で示すと同時に比較例を示し、実施例と比較例とを比較して効果を説明する。
【実施例１】
【００４０】
図１は、本発明の一実施例を示すものであって、小屋裏の主要部を示す一部切欠斜視図である。
【００４１】
図１において、１は、２階建て住宅の小屋裏であり、２は、小屋裏１の直下にある部屋（２階の部屋）の天井であり、この天井２の材質は、合板の２階の部屋側の面（下側面）にビニルクロスを貼ったものである。
３は、小屋裏１に設けられた小屋裏収納装置であり、この小屋裏収納装置３は、収納部屋４と、給気口５と、排気口６と排気ダクト７と排気ファン６１とからなる。
収納部屋４は、床面４１と壁面４２と天井面４３とで構成されていて、水平断面の短辺が略２２２４ｍｍ、長辺が略２７００ｍｍの長方形で、高さが略１４００ｍｍの直方体をしている。
【００４２】
床面４１は、収納部直下の部屋の天井２を兼用したものであり、この床面４１（天井２）の収納部屋側の面（上側面）には、軟質塩化ビニル製のクッションフロアが張られていて、この床面４１には、矩形状の開口部が設けられ、この開口部は、開閉自在な扉４４が取り付けられた収納出入口となっている。この扉４４には、長さが略２００ｍｍ、幅が略３０ｍｍのスリット状の３個の通孔からなる給気口５が設けられている。従って、この給気口５は収納部屋直下の部屋に通じている。
【００４３】
壁面４２と天井面４３の材質は石膏ボードの内側面にビニルクロスを貼ったものである。
そして、天井面４３には、通孔である排気口６が設けられ、この排気口６には換気扇である排気ファン６１（三菱電気（株）製「Ｖ−０８ＺＳＸＤ」定格風量３４ｍ3 ／Ｈ）が取り付けられている。従って、この排気ファン６１は収納部屋４を略４回／時の速度で換気する能力を有している。
排気ダクト７は、内径略１００ｍｍの蛇腹状の筒体であり、この排気ダクト７は、排気口６と小屋裏直下の廊下である部屋の天井２に設けられた通孔２５とを連結している。
【００４４】
次に、この小屋裏収納装置３の施工方法および作用について説明する。
２階の部屋の天井２の上に壁面４２、天井面４３を取り付け、内面にビニルクロスを貼ったり、天井２である床面４１の収納部屋側の面（上側面）にクッションフロアを貼って収納部屋４を形成する。
そして、この床面４１に開口部を設け、この開口部に、給気口５を有する扉４４を開閉自在に取り付けて収納出入口を設ける。
【００４５】
また、天井面４３に通孔を設けて排気口６とし、この排気口６に排気ファン６１を設ける。
そして、小屋裏直下の部屋の天井２に通孔２５を設け、この通孔２５と排気口６とを排気ダクト７で連結する。
このようにすると小屋裏収納装置３が完成する。
【００４６】
このようにして完成した小屋裏収納装置３では、排気ファン６１を稼働させると、収納部屋４の空気が収納部屋４の天井面４３に設けられている排気口６からダクト７を通って小屋裏直下の部屋に排気され、収納部屋４の気圧が下がり、自動的に、収納部屋直下の部屋から給気口５を通って収納部屋４に給気される。
このようにして、収納部屋４が換気されるので、収納部屋４の内部に有害化学物質が溜まることがないし、収納部屋４が夏期に高温にならない。
【００４７】
このように、収納部屋４の空気は、収納部屋直下の部屋や小屋裏直下の部屋を循環するので、住宅の中を空調しているとき等では空調のためのエネルギーの損失が少なくなる。
なお、有害化学物質等は住宅の内部の空気と共に住宅の台所や便所や風呂場等に設けられている換気口から外気に排出される。
【実施例２】
【００４８】
実施例２は本発明の他の例を示すものである。
この実施例２では、実施例１と略同じ住宅を建て、この住宅の小屋裏には、壁面全体をホルムアルデヒドを吸着する性能を有する石膏を板状にした石膏ボード（吉野石膏（株）の「ハイクリンボード」）で構成し、その他は実施例１と略同じにした小屋裏収納装置を設けた。
【比較例】
【００４９】
比較例では、実施例１と略同じ住宅を建て、この住宅の小屋裏に小屋裏収納装置を設けたものである。
この小屋裏収納装置を実施例１と比較すると、給気口、排気口、排気ファンが設けられていないことが異なり、その他は実施例１と略同じにした。
（評価）
【００５０】
実施例１、実施例２、比較例の各小屋裏収納装置の住宅の換気装置を稼働させると同時に、実施例１、実施例２の排気ファンを稼働させ、２４時間後の収納部屋の中の有害化学物質であるホルムアルデヒト、アセトアルデヒド、トルエン、キシレンの濃度を測定すると同時に部屋の温度と湿度を測定した。
有害化学物質の濃度測定は、収納部屋の中央部の床面からの高さが略５０ｃｍの場所の空気をサンプリングし、ホルムアルデヒドとアセトアルデヒドの濃度はＤＮＰＨ法で測定し、トルエンとキシレンの濃度はＧＣ／ＭＳ法で測定した。
結果を表１に示す。
【００５１】
【表１】
2005350966.tif 000003
【００５２】
この結果から判るように、実施例１と実施例２の有害化学物質の濃度は、比較例の有害化学物質の濃度より大幅に改善されていることが判る。特に、有害化学物質を吸着する性質を有する石膏ボードを壁面に設け実施例２のホルムアルデヒドの濃度の低下が大きい。
【産業上の利用可能性】
【００５３】
この実施例では、２階建ての住宅について説明したが、この住宅としては、いかなるものでもよい。例えば、１階建ての住宅でもよいし、２階以上の住宅でもよい。また、戸建ての住宅でもよいし、集合住宅であってもよい。また、木造の住宅であってもよいし、鉄筋の住宅でもよい。また、現地で建てる古来の住宅でもよいし、工場で部品を製造し、これを現地で組み立てるプレハブ住宅でもよいし、工場で住宅ユニットを製造し、これを組み立てるユニット住宅でもよい。
【００５４】
また、実施例では、床面に合板で構成し、壁面と天井面を石膏ボードで構成しているが、かかる材料に限らず、適宜材質で構成してもよい。
また、この実施例では、給気口を収納出入口に設けられた扉に設けているが、収納部屋直下の部屋の天井に設けてもよい。
また、この実施例では、排気口を収納部屋の天井面に設けたが、壁面に設けてもよいし、床面に設けてもよい。
【００５５】
また、排気ダクトを排気口と小屋裏直下の部屋とを連結しているが、外壁に通孔を設け、この外壁の通孔と排気口とを連結してもよいし、この排気ダクトがなく、直接、排気口から外気に排出するようにしてもよい。
また、排気ファンを排気ダクトの入口である排気口に設けたが、ダクトの途中に設けてもよいし、ダクトの先端部に設けてもよい。
【図面の簡単な説明】
【００５６】
【図１】実施例１の小屋裏の主要部を示す一部切欠斜視図である。
【図２】給気口と排気口の代表的な配置を示す断面図である。
【符号の説明】
【００５７】
３            小屋裏収納装置
４            収納部屋
５            給気口
６            排気口
６１          排気ファン
７            排気ダクト
【図１】
2005350966.tif 000004
【図２】
2005350966.tif 000005